(57)【特許請求の範囲】
【請求項１】
遮断器ケースにセパレータを取り付け、セパレータに可動接触子の接点部を固定接点部側へ付勢する接圧バネを設け、可動接触子の支点穴に支持ピンを挿通し、支持ピン上に定着皿と押圧バネとを嵌挿し、押圧バネにより定着皿をセパレータの支持壁に圧接させ、支持壁と定着皿との摩擦力で支持ピンをセパレータに保持した回路遮断器において、
前記セパレータの支持壁に、定着皿を係止するための皿係止部と、定着皿をセパレータの外部から皿係止部まで挿入するための皿挿入溝とを形成し、皿挿入溝を前記接圧バネの付勢力が作用する方向と直交する方向へ延びるように形成したことを特徴とする回路遮断器。
【請求項２】
前記可動接触子がＬ字形のレバーを含み、レバーの長片部に可動接触子の接点部を設け、レバーの短片部に接圧バネの付勢力を受け入れる入力部を設け、レバーのコーナ部に支点穴を形成し、支点穴に挿通した支持ピン上の定着皿を接圧バネの付勢力で皿係止部に押し付けることを特徴とする請求項１記載の回路遮断器。
【請求項３】
遮断器ケースにセパレータを取り付け、セパレータに可動接触子の接点部を固定接点部側へ付勢する接圧バネを設け、可動接触子の支点穴に支持ピンを挿通し、支持ピン上に定着皿と押圧バネとを嵌挿し、押圧バネにより定着皿をセパレータの支持壁に圧接させ、支持壁と定着皿との摩擦力で支持ピンをセパレータに保持した回路遮断器において、
前記セパレータの支持壁に、支持ピンを係止するためのピン係止部と、支持ピンをセパレータの外部からピン係止部まで挿入するためのピン挿入溝とを形成し、ピン挿入溝を前記接圧バネの付勢力が作用する方向と直交する方向へ延びるように形成したことを特徴とする回路遮断器。
【請求項４】
前記可動接触子がＬ字形のレバーを含み、レバーの長片部に可動接触子の接点部を設け、レバーの短片部に接圧バネの付勢力を受け入れる入力部を設け、レバーのコーナ部に支点穴を形成し、支点穴に挿通した支持ピンを接圧バネの付勢力でピン係止部に押し付けることを特徴とする請求項３記載の回路遮断器。
【請求項５】
遮断器ケースにセパレータを取り付け、セパレータに可動接触子の接点部を固定接点部側へ付勢する接圧バネを設け、可動接触子の支点穴に支持ピンを挿通し、支持ピン上に定着皿と押圧バネとを嵌挿し、押圧バネにより定着皿をセパレータの支持壁に圧接させ、支持壁と定着皿との摩擦力で支持ピンをセパレータに保持した回路遮断器において、
前記セパレータの支持壁に、定着皿を係止するための皿係止部と、定着皿をセパレータの外部から皿係止部まで挿入するための皿挿入溝と、支持ピンを係止するためのピン係止部と、支持ピンをセパレータの外部からピン係止部まで挿入するためのピン挿入溝とを形成し、皿挿入溝およびピン挿入溝を前記接圧バネの付勢力が作用する方向と直交する方向へ延びるように形成したことを特徴とする回路遮断器。
【請求項６】
前記可動接触子がＬ字形のレバーを含み、レバーの長片部に可動接触子の接点部を設け、レバーの短片部に接圧バネの付勢力を受け入れる入力部を設け、レバーのコーナ部に支点穴を形成し、支点穴に挿通した支持ピンを接圧バネの付勢力でピン係止部に押し付け、支持ピン上の定着皿を皿係止部に押し付けることを特徴とする請求項５記載の回路遮断器。
【発明の詳細な説明】
【技術分野】
【０００１】
本発明は、可動接触子の支持ピンをセパレータの支持壁に弾性的に保持した回路遮断器に関する。
【背景技術】
【０００２】
この種の回路遮断器として、従来、図４〜図６に示す技術が知られている。図４に示す回路遮断器１では、ケース２の底部にセパレータ３が取り付けられ、遮断器ケース２の上面にハンドルＨが突設されている。セパレータ３には、例えば３本の可動接触子４（図４に１本のみ示す）が支持ピン５により回動可能に支持され、ハンドルＨまたは遮断機構（図示略）によって開閉される。
【０００３】
可動接触子４の基部には接触子金具６が取り付けられ、接触子金具６はヒータ７を介して接続導体８に電気接続されている。可動接触子４の先端には可動接点部４ａが設けられ、可動接点部４ａは接圧バネ９により回転金具１１を介して電源座１０の固定接点部１０ａ側へ付勢されている。
【０００４】
図５に示すように、セパレータ３には、可動接触子４の基部を収容する凹所１２が相対する一対の支持壁１４によって形成され、凹所１２に接圧バネ９を受け入れるバネ受け穴１３が設けられている。各支持壁１４の内面１４ａには、定着皿１８（図６参照）を受け入れる皿受け穴２１と、支持ピン５の両端が挿入される挿入溝１５とが形成されている。挿入溝１５はバネ受け穴１３の軸線と平行に皿受け穴２１に向かって延び、支持ピン５がセパレータ３の前方から挿入溝１５に挿入される。
【０００５】
図６は図５のセパレータ３の水平断面図を示し、ここで、支持ピン５は可動接触子４の支点穴１６と接触子金具６の挿通孔１７とに挿通されている。接触子金具６の外側において、支持ピン５上には一対の定着皿１８と押圧バネ１９とが嵌挿されている。定着皿１８は、押圧バネ１９により皿受け穴２１に係止され、皿受け穴２１との係止力で支持ピン５をセパレータ３上に保持する。
【０００６】
上記構成の回路遮断器１において、セパレータ３に可動接触子４を組み付ける際には、まず、支持ピン５上に可動接触子４、接触子金具６、定着皿１８、押圧バネ１９を装着し、図６の下部に示す接触子アセンブリ２０を組み立てる。次に、セパレータ３に接圧バネ９と回転金具１１を装着する。
【０００７】
続いて、左右の定着皿１８に偶力を与えて押圧バネ１９を圧縮し、可動接触子４をセパレータ３の凹所１２に収容し、支持ピン５の両端を支持壁１４の挿入溝１５に挿入する。その後、偶力を解除して押圧バネ１９を伸長させ、そのバネ力で定着皿１８を皿受け穴２１に係止し、接触子アセンブリ２０をセパレータ３に組み付ける。
【０００８】
なお、特許文献１には、３本の可動接触子をアームブロックに支持し、アームブロックの軸部をベース（セパレータ）に支持した回路遮断器が記載されている。
【先行技術文献】
【特許文献】
【０００９】
【特許文献１】実開昭５９−１７８８４３号公報
【発明の概要】
【発明が解決しようとする課題】
【００１０】
従来の回路遮断器１によれば、定着皿１８と皿受け穴２１との係止力で支持ピン５をセパレータ３に保持するので、ネジやカシメ等の締付手段を用いることなく、可動接触子４を簡単に組み付けることができる。しかし、支持ピン５の挿入方向（図５に示す矢印Ａ方向）が接圧バネ９の付勢方向（矢印Ｂ方向）と反対になるため、次のような問題点があった。
【００１１】
（ａ）組付時に、接圧バネ９の付勢力に抗して接触子アセンブリ２０を押し込む必要があり、作業に困難を伴う。
（ｂ）組付中は、一対の定着皿１８の間隔を支持壁内面１４ａの間隔よりも狭くしておくために、押圧バネ１９のバネ力に抗して長時間にわたり定着皿１８に大きな偶力を与え続ける必要がある。
（ｃ）また、押圧バネ１９は、圧縮量が増加する反面、復元量が減少するので、適正な押圧力を備えたバネ１９の設計に困難を伴う。
（ｄ）組付後は、接圧バネ９が接触子アセンブリ２０を押し戻そうとする力を定着皿１８に作用させるので、支持ピン５の位置つまり可動接触子４の支点位置が不安定となる。
（ｃ）支点位置を安定させるためには、押圧バネ１９のバネ力を強化する必要があり、これに伴い、定着皿１８に与える偶力が増加し、組付作業が一層困難となる。
【００１２】
そこで、本発明の目的は、可動接触子をセパレータの定位置に簡単かつ強固に組み付けることができる回路遮断器を提供することにある。
【課題を解決するための手段】
【００１３】
上記課題を解決するために、本発明は、遮断器ケースにセパレータを取り付け、セパレータに可動接触子の接点部を固定接点部側へ付勢する接圧バネを設け、可動接触子の支点穴に支持ピンを挿通し、支持ピン上に定着皿と押圧バネとを嵌挿し、押圧バネにより定着皿をセパレータの支持壁に圧接させ、支持壁と定着皿との摩擦力で支持ピンをセパレータに保持した回路遮断器において、次のような技術的特徴点を備える。
【００１４】
（１）セパレータの支持壁に、定着皿を係止するための皿係止部と、定着皿をセパレータの外部から皿係止部まで挿入するための皿挿入溝とを形成し、皿挿入溝を接圧バネの作用方向と直交する方向へ延びるように形成したことを特徴とする回路遮断器。
【００１５】
（２）可動接触子がＬ字形のレバーを含み、レバーの長片部に可動接触子の接点部を設け、レバーの短片部に接圧バネの付勢力を受け入れる入力部を設け、レバーのコーナ部に支点穴を形成し、支点穴に挿通した支持ピン上の定着皿を接圧バネの付勢力で皿係止部に押し付けることを特徴とする（１）に記載の回路遮断器。
【００１６】
（３）セパレータの支持壁に、支持ピンを係止するためのピン係止部と、支持ピンをセパレータの外部からピン係止部まで挿入するためのピン挿入溝とを形成し、ピン挿入溝を接圧バネの付勢力が作用する方向と直交する方向へ延びるように形成したことを特徴とする回路遮断器。
【００１７】
（４）可動接触子がＬ字形のレバーを含み、レバーの長片部に可動接触子の接点部を設け、レバーの短片部に接圧バネの付勢力を受け入れる入力部を設け、レバーのコーナ部に支点穴を形成し、支点穴に挿通した支持ピンを接圧バネの付勢力でピン係止部に押し付けることを特徴とする（３）に記載の回路遮断器。
【００１８】
（５）セパレータの支持壁に、定着皿を係止するための皿係止部と、定着皿をセパレータの外部から皿係止部まで挿入するための皿挿入溝と、支持ピンを係止するためのピン係止部と、支持ピンをセパレータの外部からピン係止部まで挿入するためのピン挿入溝とを形成し、皿挿入溝およびピン挿入溝を接圧バネの付勢力が作用する方向と直交する方向へ延びるように形成したことを特徴とする回路遮断器。
【００１９】
（６）可動接触子がＬ字形のレバーを含み、レバーの長片部に可動接触子の接点部を設け、レバーの短片部に接圧バネの付勢力を受け入れる入力部を設け、レバーのコーナ部に支点穴を形成し、支点穴に挿通した支持ピンを接圧バネの付勢力でピン係止部に押し付け、支持ピン上の定着皿を皿係止部に押し付けることを特徴とする（５）に記載の回路遮断器。
【発明の効果】
【００２０】
本発明の回路遮断器によれば、セパレータの支持壁に形成した皿挿入溝および／またはピン挿入溝を接圧バネの付勢方向と交差する方向へ延びるように形成したので、可動接触子の組み付けに際し、接圧バネの抵抗力または押し戻し力を軽減でき、もって、可動接触子をセパレータの定位置に簡単かつ強固に組み付けることができるという効果がある。
【図面の簡単な説明】
【００２１】
【図１】本発明に係る一実施形態の回路遮断器において、セパレータを示す斜視図である。
【図２】接触子アセンブリを組み付ける時の様子を示すために、図１のセパレータを垂直面で破断して前方から見た断面図である。
【図３】接触子アセンブリを組み付ける時の様子を示すために、図１のセパレータを垂直面で破断して左側方から見た断面図である。
【図４】従来の回路遮断器を示す垂直断面図である。
【図５】従来の回路遮断器のセパレータを部分的に示す斜視図である。
【図６】接触子アセンブリを組み付ける時の様子を示すために、図５のセパレータを水平面で破断して上方から見た断面図である。
【発明を実施するための形態】
【００２２】
以下、本発明の実施形態を図面に基づいて説明する。回路遮断器の全体的な構成は従来と同様であって、図４に示すように、遮断器ケース２にセパレータ３が取り付けられ、セパレータ３に可動接触子４が支持されるとともに、可動接触子４の接点部４ａを固定接点部１０ａ側へ付勢するための接圧バネ９が設けられている。
【００２３】
図２に示すように、可動接触子４の支点穴１６には支持ピン５が挿通され、支持ピン５上に接触子金具６、定着皿１８、押圧バネ１９が嵌挿されている。そして、押圧バネ１９により定着皿１８をセパレータ３の支持壁１４に圧接させ、支持壁１４と定着皿１８との摩擦力で支持ピン５をセパレータ３に保持するようになっている。
【００２４】
図１に示すように、支持壁１４の壁面には、定着皿１８を係止するための皿係止部２２と、定着皿１８をセパレータ３の下側から皿係止部２２まで挿入するための皿挿入溝２３と、支持ピン５の両端を係止するためのピン係止部２４と、支持ピン５をセパレータ３の下側からピン係止部２４まで挿入するためのピン挿入溝２５とが形成されている。
【００２５】
図３に示すように、皿係止部２２およびピン係止部２４は、セパレータ３の同じ高さ位置において、ピン係止部２４が深く、皿係止部２２が浅く形成されている。皿挿入溝２３およびピン挿入溝２５は、セパレータ３の同じ前後方向位置において、それぞれ上下方向へ延びるように形成されている。
【００２６】
一方、接圧バネ９のバネ受け穴１３はセパレータ３の前後方向に凹設され、接圧バネ９のバネ力によって、回転金具１１が水平ピン２６の回りでセパレータ３の前方へ回動付勢されている。従って、この実施形態では、皿挿入溝２３およびピン挿入溝２５が接圧バネ９の作用方向と直角に交差して延びるように形成されている。
【００２７】
また、この実施形態では、可動接触子４にＬ字形のレバー２７が用いられている。レバー２７の長片部２７ａには可動接点部４ａ（図４参照）が設けられ、レバー２７の短片部２７ｂに接圧バネ９の付勢力を受け入れる入力ピン２８が固定され、レバー２７のコーナ部２７ｃに支点穴１６が形成されている。
【００２８】
そして、支点穴１６に挿通した支持ピン５を接圧バネ９の付勢力によりレバー２７の梃子作用を介してピン係止部２４に押し付け、支持ピン５上に嵌挿した定着皿１８を皿係止部２２に押し付けるようになっている。なお、回転金具１１の水平ピン２６は、支持壁１４に形成した案内溝２９に支持されている。
【００２９】
この実施形態の回路遮断器１において、セパレータ３に可動接触子４を組み付ける際には、図２に示すように、まず、支持ピン５上に可動接触子４、接触子金具６、定着皿１８、押圧バネ１９を装着し、可動接触子４に入力ピン２８を取り付けて、接触子アセンブリ２０を組み立てる。次に、セパレータ３のバネ受け穴１３に接圧バネ９を挿着し、回転金具１１で接圧バネ９を圧縮し、水平ピン２６を案内溝２９および回転金具支持穴２９ａに挿入し、回転金具１１を支持壁１４に支持する。
【００３０】
続いて、左右の定着皿１８に偶力を与えて押圧バネ１９を圧縮し、可動接触子４をセパレータ３の下側から凹所１２に収容し、支持ピン５の両端をピン挿入溝２５に挿入し、定着皿１８を皿挿入溝２３にセットする。その後、偶力を解除して押圧バネ１９を伸長させ、そのバネ力で定着皿１８を支持壁１４の壁面に圧接させ、接触子アセンブリ２０をセパレータ３に組み付ける。この組付状態では、可動接触子４が接圧バネ９のバネ力により回転金具１１を介して付勢され、可動接点４ａが電源座１０の固定接点部１０ａに押し付けられる（図４ａ参照）。
【００３１】
こうすれば、支持ピン５が定着皿１８と支持壁１４との摩擦力でセパレータ３に保持されるので、従来と同様、締付手段を用いることなく可動接触子４を簡単に組み付けることができる。また、支持ピン５の挿入方向（図１に示す矢印Ａ方向）が接圧バネ９の付勢方向（矢印Ｂ方向）と直角に交差しているため、次のような作用効果が得られる。
【００３２】
（Ｉ）組付時に、接圧バネ９の抵抗力を受けることなく、接触子アセンブリ２０をセパレータ３の凹所１２に楽に挿入できる（図３参照）。
（ＩＩ）接触子アセンブリ２０の組付前後において、一対の定着皿１８の間隔の変化量が僅かとなるので（図２参照）、組付中に定着皿１８に与える偶力を軽減でき、組付作業が容易になる。
（ＩＩＩ）また、押圧バネ１９の圧縮量も、従来（図６参照）と比較して少なくなるので、適正な押圧力を備えたバネ１９を容易に設計できる。
（ＩＶ）組付後は、接圧バネ９が支持ピン５をピン挿入溝２５の側面に押圧するとともに、定着皿１８を皿挿入溝２３の側面に押圧するので、支持ピン５の位置を安定させ、可動接触子４の支点位置をセパレータ３の規定位置に強固に保持できる。
（Ｖ）可動接触子４にＬ字形のレバー２７を使用したので、接圧バネ９の付勢力を利用して、支持ピン５をピン係止部２４に押し付け、定着皿１８を皿係止部２２に押し付け、接触子アセンブリ２０をセパレータ３の規定位置により強固に保持できる。
【００３３】
なお、本発明は、上記実施形態に限定されるものではなく、発明の趣旨を逸脱しない範囲で、各部の形状や構成を適宜に変更して実施することも可能である。
【符号の説明】
【００３４】
１    回路遮断器
２    遮断器ケース
３    セパレータ
４    可動接触子
４ａ    可動接点部
５    支持ピン
９    接圧バネ
１０ａ    固定接点部
１４    支持壁
１６    支点穴
１８    定着皿
１９    押圧バネ
２０    接触子アセンブリ
２２    皿係止部
２３    皿挿入溝
２４    ピン係止部
２５    ピン挿入溝
２７    レバー
２８    入力ピン
【図１】
0005984518.tif 000002
【図２】
0005984518.tif 000003
【図３】
0005984518.tif 000004
【図４】
0005984518.tif 000005
【図５】
0005984518.tif 000006
【図６】
0005984518.tif 000007